【事件の表示】
　特願２００３−３１７４７６「アクティブ基板および表示装置」拒絶査定不服審判事件〔平成１７年　３月３１日出願公開、特開２００５−　８４４３０〕について、次のとおり審決する。
【結　論】
　本件審判の請求は、成り立たない。
【理　由】
１　手続の経緯・本願発明
　本願は、平成１５年９月９日の出願であって、平成２０年４月２５日付け及び同年１１月１７日付けで手続補正がなされ、平成２１年６月１１日付けで前記平成２０年１１月１７日付け手続補正が却下されるとともに、同日付けで拒絶査定がなされ、これに対し、平成２１年９月１６日に拒絶査定不服審判請求がなされるとともに、これと同時に手続補正がなされ、その後、当審において平成２２年９月２９日付けで前記平成２１年９月１６日付け手続補正が却下されるとともに、同日付けで拒絶理由が通知され、平成２２年１１月２６日付けで手続補正がなされたものである。
　
　そして、本願の請求項に係る発明は、平成２２年１１月２６日付け手続補正による補正後の明細書、特許請求の範囲及び図面の記載からみて、特許請求の範囲の請求項１ないし１１に記載された事項によって特定されるものと認められるところ、請求項１に係る発明は次のとおりである。
　
「複数の画素部が二次元状に配設され、該複数の画素部によって映像が表示可能とされる表示領域が設けられ、該表示領域以外を非表示領域とする、対向基板と表示媒体を介して対向するよう配置されるアクティブ基板において、
　該表示領域に隣接する周辺部の非表示領域に、該表示領域を囲むよう環状の形状を有する非表示領域電極が、その幅が、該表示媒体に含まれる不純物イオンの量に応じた幅となるよう設けられ、
　該非表示領域電極は、該画素部に走査信号を供給する走査信号供給回路に接続され、
　該非表示領域電極には、該走査信号供給回路から、該非表示領域への不純物イオンの吸着が抑制されて該非表示領域の表示媒体にＤＣ電圧が印加されないよう、該対向基板の対向電極の電位と同じ電位が供給されるアクティブ基板。」（以下「本願発明」という。）
　
　
２　引用刊行物の記載事項
　当審における拒絶理由に引用し、本願の出願前に頒布された刊行物である特開平４−５０９２３号公報（以下「引用刊行物」という。）には、図とともに下記の事項が記載されている。
　
（１）「２．特許請求の範囲
　１．第１の絶縁基板上に複数の走査線と信号線が配置され、前記走査線により走査され前記信号線により信号を入力されて画素電極にその出力を印加する薄膜トランジスタが前記走査線と前記信号線との交点にマトリクス状に配置され、前記第１の絶縁基板に対向して設けられた第２の絶縁基板上には対向電極が形成され、前記第１の絶縁基板と前記第２の絶縁基板との間に液晶が挟持された液晶表示装置において、
　前記第１の絶縁基板上の前記画素電極に隣接した周辺領域に、周辺電極をさらに備えていることを特徴とする液晶表示装置。
　２．前記周辺電極は、その電位が前記対向電極の電位に等しいことを特徴とする請求項１記載の液晶表示装置。」（第１頁左下欄第４行〜同頁右下欄第１行）
　
（２）「（産業上の利用分野）
　本発明は液晶表示装置に係わり、特にアクテイブマトリクス型の装置に関する。」（第１頁右下欄下から２行目〜第２頁左上欄第１行）
　
（３）「（従来の技術）
　従来のアクティブマトリクス型の液晶表示装置として、「日経エレクトロニクス１９８４年９月１０日号、ｐ．２１１−２４０」に掲載されたものがあり、その回路の概略構成を第５図に示す。画素電極２がマトリクス状に配置され、各画素電極２に薄膜トランジスタ（以下、ＴＦＴと称す）１のドレインが接続されている。また各ＴＦＴ１のゲートは、横方向に配線され図示されていない走査ドライバにより駆動される走査線Ｙｌ，Ｙ２，Ｙ３，・・・に接続されており、ソースは縦方向に配線され図示されていない信号ドライバにより駆動される信号線Ｘ１，Ｘ２，Ｘ３，・・・に接続されている。
　このような回路構成を有する装置の縦断面構造を第６図に示す。ＴＦＴ基板１００と対向電極１１５とが対向しており、その間に液晶１１１が挟持されている。ＴＦＴ基板１００の表面に半導体薄膜によりＴＦＴ部１が形成されており、ソース１０１、チャネル１０２、ドレイン１０３、及びゲート絶縁膜１０４上のゲート電極１０５を備えている。
　そしてその表面に層間絶縁膜１０６、画素電極２及び信号線Ｘが順に形成されており、画素電極２とソース１０１、信号線Ｘとドレイン１０３とがコンタクトホールにおいて接続されている。さらに表面上にパッシベーション膜１０９と、液晶１１１に方向性を与える配向膜１１０が順に形成されている。
　対向電極１１５の表面には、開孔部１１６の領域が除去された遮光膜１１４が形成され、その表面に対向電極１１３及び配向膜１１２が順に形成されている。
　このような構成により、走査線Ｙにより走査されたＴＦＴＩのソースに信号線Ｘからの映像信号が入力され、ドレインから出力された電圧が画素電極２に印加されて、液晶１１１に保持される。
　（発明が解決しようとする課題）
　しかし、液晶１１１に印加される電圧はドレインからの出力だけでなく、走査線Ｙ及び信号線Ｘと対向電極１１５との間に生じる電界がもたらす直流電圧も印加される。走査線Ｙ及び信号線Ｘと液晶１１１との間には、パッシベーション膜１０９が介在してはいるが、このような電界の影響を十分に除去することはできず、液晶１１１が周辺部分より徐々に劣化していくという問題があった。
　本発明は上記事情に鑑み、液晶の劣化を防止し得る液晶表示装置を提供することを目的とする。」（第２頁左上欄第２行〜同頁左下欄第１０行）
　
（４）「（実施例）
　以下、本発明の一実施例について図面を参照して説明する。第１図に、ＴＦＴを用いた第１の実施例による液晶表示装置の構成を示す。第５図に示された従来の装置と比較し、画素電極２の周囲に周辺電極３を備えている点が異なっている。
　この場合の縦断面構造を第２図に示す。層間絶縁膜１０６上左側の領域に、周辺電極３か形成されている。この周辺電極３の形成は、画素電極２や信号線Ｘ、走査線Ｙに用いる材料のように、導電性を有する薄膜であればいずれを用いてもよい。この場合に、同じ層に位置する信号線Ｘと短絡しないように距離をあけるか、いずれか一方を絶縁膜を介して他の層に形成する必要がある。
　この周辺電極３には対向電極１１３に等しい電位が与えられており、信号線Ｘ及び走査線Ｙと対向電極との間の電界が遮断されて液晶１１１に直流電圧が印加されず、劣化か防止されて長寿命化が達成される。また液晶１１１に直流電圧か印加されるのか防止されると高温での信頼性か高まり、航空機や車両に搭載して用いることが可能となるなど応用範囲が拡がる。」（第３頁左上欄第１行〜同頁右上欄第２行）
　
（５）「〔発明の効果〕
　以上説明したように本発明の液晶表示装置によれば、画素電極に隣接した領域に形成された周辺電極により、走査線及び信号線と対向電極との間の電界が遮断されて直流電圧が液晶に印加されるのが防止されるため、液晶が劣化せず長寿命化が達成される。」（第３頁右下欄第１３〜１９行）
　
　よって、これらの記載を総合すると、引用刊行物には、次の発明（以下「引用発明」という。）が記載されていると認められる。
　
「第１の絶縁基板上に複数の走査線と信号線が配置され、前記走査線により走査され前記信号線により信号を入力されて画素電極にその出力を印加する薄膜トランジスタが前記走査線と前記信号線との交点にマトリクス状に配置され、前記第１の絶縁基板に対向して設けられた第２の絶縁基板上には対向電極が形成され、前記第１の絶縁基板と前記第２の絶縁基板との間に液晶が挟持された液晶表示装置において、
　前記第１の絶縁基板上の前記画素電極に隣接した周辺領域に、周辺電極をさらに備えており、
　前記周辺電極は、その電位が前記対向電極の電位に等しく、
　走査線及び信号線と対向電極との間の電界が遮断されて直流電圧が液晶に印加されるのが防止されるため、液晶が劣化せず長寿命化が達成される、液晶表示装置。」
　
　
３　対比
　本願発明と引用発明を対比する。
　
（１）引用発明の「第１の絶縁基板」は、「（その）上に複数の走査線と信号線が配置され、前記走査線により走査され前記信号線により信号を入力されて画素電極にその出力を印加する薄膜トランジスタが前記走査線と前記信号線との交点にマトリクス状に配置され」るものであって、「前記第１の絶縁基板に対向して設けられた第２の絶縁基板上には対向電極が形成され、前記第１の絶縁基板と前記第２の絶縁基板との間に液晶が挟持された液晶表示装置」を構成するものであり、「画素電極」にその出力を印加する「薄膜トランジスタ」は、「走査線」と「信号線」との交点に二次元に配設されている、また、「薄膜トランジスタ」及び「画素電極」によって、映像が表示可能とされる表示領域が設けられる、といえるから、
　ア　引用発明の「第１の絶縁基板」、「（第１の絶縁基板に対向して設けられた）第２の絶縁基板」及び「（第１の絶縁基板と第２の絶縁基板との間に挟持された）液晶」は、それぞれ、本願補正発明の「アクティブ基板」、「対向基板」及び「表示媒体」に相当し、
　イ　引用発明の「（マトリクス状に配置される）『薄膜トランジスタ』及び『画素電極』」は、本願発明の「（複数の）（二次元に配設される）画素部」に相当するといえる。また、
　ウ　引用発明の「第１の絶縁基板」は、本願発明の「複数の画素部が二次元状に配設され、該複数の画素部によって映像が表示可能とされる表示領域が設けられ」との事項、及び、「対向基板と表示媒体を介して対向するよう配置される」との事項を備える。
　
（２）引用発明の「第１の絶縁基板」は、「（その）上の前記画素電極に隣接した周辺領域に、周辺電極をさらに備え」るものであって、前記「周辺領域」は、（表示領域以外の）（該表示領域に隣接する周辺部の）非表示領域である、といえるから、
　ア　引用発明の「（画素電極に隣接した）周辺領域」は、本願発明の「（該表示領域以外の）（該表示領域に隣接する周辺部の）非表示領域」に相当し、
　イ　引用発明の「第１の絶縁基板」は、本願発明の「該表示領域以外を非表示領域とする」との事項を備える。
　
（３）引用発明は、その「第１の絶縁基板」が、「前記画素電極に隣接した周辺領域に、周辺電極をさらに備えて」いるものであって、「前記周辺電極は、その電位が前記対向電極の電位に等しく」、「走査線及び信号線と対向電極との間の電界が遮断されて直流電圧が液晶に印加されるのが防止されるため、液晶が劣化せず長寿命化が達成される」ものであるから、
　ア　引用発明の「前記第１の絶縁基板上の前記画素電極に隣接した周辺領域に、周辺電極をさらに備えており」との事項は、本願発明の「該表示領域に隣接する周辺部の非表示領域に、該表示領域を囲むよう環状の形状を有する非表示領域電極が、その幅が、該表示媒体に含まれる不純物イオンの量に応じた幅となるよう設けられ」との事項と、「該表示領域に隣接する周辺部の非表示領域に非表示領域電極が設けられ」との点で一致し、
　イ　引用発明の「前記周辺電極は、その電位が前記対向電極の電位に等しく、走査線及び信号線と対向電極との間の電界が遮断されて直流電圧が液晶に印加されるのが防止されるため、液晶が劣化せず長寿命化が達成される」との事項は、本願発明の「該非表示領域電極には、該走査信号供給回路から、該非表示領域への不純物イオンの吸着が抑制されて該非表示領域の表示媒体にＤＣ電圧が印加されないよう、該対向基板の対向電極の電位と同じ電位が供給される」との事項と、「該非表示領域電極には、該非表示領域の表示媒体にＤＣ電圧が印加されないよう、該対向基板の対向電極の電位と同じ電位が供給される」との点で一致する。
　
　したがって、本願発明と引用発明の「第１の絶縁基板」とは、　  
「複数の画素部が二次元状に配設され、該複数の画素部によって映像が表示可能とされる表示領域が設けられ、該表示領域以外を非表示領域とする、対向基板と表示媒体を介して対向するよう配置されるアクティブ基板において、
　該表示領域に隣接する周辺部の非表示領域に非表示領域電極が設けられ、
　該非表示領域電極には、該非表示領域の表示媒体にＤＣ電圧が印加されないよう、該対向基板の対向電極の電位と同じ電位が供給されるアクティブ基板。」
である点で一致し、次の点で相違する。　  
 　 
相違点
［相違点１］
　非表示領域電極が、本願発明では、表示領域を囲むよう環状の形状を有するのに対し、引用発明の「第１の絶縁基板」では、そのような環状の形状を有するのか否か明らかではない点。
［相違点２］
　本願発明は、非表示領域電極には、非表示領域への不純物イオンの吸着が抑制されて非表示領域の表示媒体にＤＣ電圧が印加されないよう、対向基板の対向電極の電位と同じ電位が供給され、また、非表示領域電極が、表示媒体に含まれる不純物イオンの量に応じた幅となるように設けられるのに対し、引用発明の「第１の絶縁基板」は、非表示領域電極には、非表示領域の表示媒体にＤＣ電圧が印加されないよう、対向基板の対向電極の電位と同じ電位が供給されるものの、非表示領域への不純物イオンの吸着が抑制されるか否か明らかではなく、また、非表示領域電極が、表示媒体に含まれる不純物イオンの量に応じた幅となるように設けるのか否か明らかではない点。
［相違点３］
　非表示領域電極に非表示領域の表示媒体にＤＣ電圧が印加されないよう、対向基板の対向電極の電位と同じ電位を供給するに際し、本願発明では、非表示領域電極が、画素部に走査信号を供給する走査信号供給回路に接続され、該走査信号供給回路から前記電位が供給されるのに対し、引用発明の「第１の絶縁基板」では、非表示領域電極が、走査信号供給回路に接続されているのか否か明らかではない点。
　
　
４　判断
　上記相違点につき検討する。
　
［相違点１］について
　引用発明は、「走査線及び信号線と対向電極との間の電界が遮断されて直流電圧が液晶に印加されるのが防止される」ように、「周辺電極」の「電位」を「対向電極の電位に等しく」するものであるところ、薄膜トランジスタを駆動し、画像を表示するための走査線及び信号線を表示領域の上下及び左右に配置するようにする液晶表示装置用のアクティブ基板は本願の出願時点で周知であるから（必要なら、特開平１−１３０１３２号公報（第２頁左下欄第７〜１４行、第３図）、特開昭６３−５２１２１号公報（第２頁左下欄第１１から１７行、第３図）、特開昭６０−２２９０８９号公報（第２頁左下欄第１２行〜同頁右下欄第１８行、第２図）参照。）、引用発明において、複数の「走査線」及び「信号線」を表示領域の上下及び左右に配置し、その際、各走査線及び信号線と対向電極との間の電界が遮断して直流電圧が液晶に印加されるのを防ぐように、周辺電極を表示領域を囲むよう環状の形状を有するものとなして、上記相違点１に係る本願発明の構成となすことは、当業者が容易になし得ることである。
［相違点２］について
　引用発明は、液晶に含まれる不純物イオンに関する作用は明らかではないが、「走査線及び信号線と対向電極との間の電界が遮断されて直流電圧が液晶に印加されるのが防止され」、「液晶が劣化せず長寿命化が達成される」ように、（非表示領域である周辺領域に備えられた）「周辺電極」の「電位」を「対向電極の電位に等しく」するものであって、液晶に直流電圧が印加されると当該液晶中の不純物イオンの吸着により液晶表示装置の表示不良が起こることは本願の出願時点で周知であることを踏まえると（例えば、特開平８−２０１８３０号公報（【００１５】、【００１９】）、特開平１０−１２３５２０号公報（【０００５】）、特開平１１−１７４４９１号公報（【００５５】）参照。）、引用発明を、周辺領域（非表示領域）への不純物イオンの吸着を抑制するものとして構成し、その際、表示不良が起こらないようにするために、周辺電極の幅を、液晶に含まれる不純物イオンの量に応じた幅となるように設けることは、当業者が適宜になし得ることである。
［相違点３］について
　引用発明において、その周辺電極に対向電極の電位と同じ電位を供給するためにいずれの回路から当該電位を供給するかは当業者が適宜に選択し得る設計的事項であるところ、引用発明の「第１の絶縁基板」が、各薄膜トランジスタ及び画素電極からなる画素部に走査信号を供給する走査信号供給回路を備えることは当業者において明らかであるから、引用発明の「第１の絶縁基板」において、周辺電極を走査信号供給回路に接続し、該走査信号供給回路から周辺電極に対して対向基板の対向電極の電位と同じ電位を供給するようになして、上記相違点３に係る本願発明の構成となすことは、当業者が適宜になし得ることである。
　
　そして、本願発明によってもたされる効果は、引用発明及び上記周知技術から当業者が予測し得る程度のものである。
　
　したがって、本願発明は、引用刊行物に記載された発明及び周知技術に基いて当業者が容易に発明をすることができたものである。
　
　
５　むすび
　以上のとおり、本願発明は、引用刊行物に記載された発明及び周知技術に基いて当業者が容易に発明をすることができたものであるから、特許法第２９条第２項の規定により特許を受けることができない。
　
　よって、結論のとおり審決する。